(57)【要約】【課題】メモリ効果を有する電力増幅器に対する有効なプレディストーションを実現可能とする。【解決手段】Ａ／Ｄコンバータ３２は、直交変調後の信号電圧値をディジタル化する。ルックアップテーブル４２は、減算器４１の出力に応じてた電圧値データを出力し、そのデータが各ルックアップテーブル６１＿１，６１＿２，６１＿３，…をアクセスするためのアドレスデータとなされる。振幅補償部３４は、ルックアップテーブル４２からの電圧値データに応じて、直交変調後の信号電圧値と電力増幅器の振幅特性に応じたインパルス応答値との乗算値の累積加算値を出力し、減算器４１へ供給する。ルックアップテーブル４２から出力された電圧値データは、Ｄ／Ａコンバータ３２によりアナログ化され、電力増幅器の振幅成分のプレディストーション信号となされる。【選択図】      図８
2004320598.tif 000002
【特許請求の範囲】
【請求項１】
電力増幅器の歪み補償を行うためのプレディストーション信号を生成する歪み補償回路において、
ベースバンド信号が直交変調された後の信号電圧値をディジタル化するＡ／Ｄ変換手段と、
上記Ａ／Ｄ変換手段の出力データが供給される減算手段と、
複数の電圧値データを格納しており、当該格納している電圧値データの中から、上記減算手段の出力データに応じた電圧値データを出力する電圧値データ出力手段と、
上記電圧値データ出力手段からの電圧値データに応じて、上記直交変調後の信号電圧値と上記電力増幅器の振幅特性に応じたインパルス応答値との乗算値の累積加算値を出力し、上記減算手段へ供給する振幅インパルス応答累積加算手段と、
上記減算手段が上記Ａ／Ｄ変換手段の出力データから上記累積加算値を減算した出力データに応じて上記電圧値データ出力手段から出力された電圧値データを、アナログ化し、電力増幅器の振幅成分のプレディストーション信号として出力するＤ／Ａ変換手段とを有する
ことを特徴とする歪み補償回路。
【請求項２】
請求項１記載の歪み補償回路であって、
上記電圧値データ出力手段が出力した電圧値データに応じて、上記直交変調後の信号電圧値と上記電力増幅器の位相特性に応じたインパルス応答値の符号を変えた変換値の累積加算値を出力する位相インパルス応答累積加算手段と、
上記電力増幅器へ供給される上記振幅成分のプレディストーション信号の位相を、上記位相インパルス応答累積出力手段からの累積加算値に基づいて移相させる移相手段とを有することを特徴とする歪み補償回路。
【請求項３】
請求項１又は請求項２記載の歪み補償回路であって、
上記振幅インパルス応答累加算手段は、
複数の各電圧値データに各々対応したＭ個（Ｍは自然数）の上記乗算値を格納している第１のテーブルと当該第１のテーブルから出力されたＭ個の乗算値を加算するための第１の加算器とをそれぞれ有するＮ個（Ｎは自然数）の第１のテーブルブロックと、
上記電圧値データ出力手段が出力した電圧値データを所定時間遅延させる遅延器がＮ−１個直列に接続された遅延ブロックと、
上記Ｎ個の第１のテーブルブロックの各第１の加算器からの各出力値を加算した累積加算値を、上記減算手段へ出力する第２の加算器とを有し、
上記遅延ブロックの初段の遅延器の入力点と各遅延器間の各接続点と最終段の遅延器の出力点とからなるＮ個の点が、上記Ｎ個の第１のテーブルブロックの各入力点に個々に対応付けられて接続され、
上記電圧値データ出力手段が出力した電圧値データの少なくとも一部が、上記第１のテーブルブロックの各第１のテーブルをアクセスするためのアドレスデータとなされていることを特徴とする歪み補償回路。
【請求項４】
請求項３記載の歪み補償回路であって、
上記振幅インパルス応答累加算手段は、
複数の各電圧値データに各々対応したＭ個（Ｍは自然数）の上記変換値を格納している第２のテーブルと当該第２のテーブルから出力されたＭ個の乗算値を加算するための第２の加算器とをそれぞれ有するＮ個（Ｎは自然数）の第２のテーブルブロックと、
上記Ｎ個の第２のテーブルブロックの各第２の加算器からの各出力値を加算した累積加算値を出力する第２の加算器とを有し、
上記遅延ブロックの初段の遅延器の入力点と各遅延器間の各接続点と最終段の遅延器の出力点とからなるＮ個の点が、上記Ｎ個の第２のテーブルブロックの各入力点に個々に対応付けられて接続されていることを特徴とする歪み補償回路。
【請求項５】
電力増幅器により信号を増幅して送信する送信装置において、
送信ベースバンド信号を直交変調する直交変調部と、
上記直交変調部から出力された信号電圧値をディジタル化するＡ／Ｄ変換手段と、上記Ａ／Ｄ変換手段の出力データが供給される減算手段と、複数の電圧値データを格納しており、当該格納している電圧値データの中から上記減算手段の出力データに応じた電圧値データを出力する電圧値データ出力手段と、上記電圧値データ出力手段からの電圧値データに応じて、上記直交変調後の信号電圧値と上記電力増幅器の振幅特性に応じたインパルス応答値との乗算値の累積加算値を出力し、上記減算手段へ供給する振幅インパルス応答累積加算手段と、上記減算手段が上記Ａ／Ｄ変換手段の出力データから上記累積加算値を減算した出力データに応じて上記電圧値データ出力手段から出力された電圧値データをアナログ化し、電力増幅器の振幅成分のプレディストーション信号として出力するＤ／Ａ変換手段とを有する歪み補償部と、
上記歪み補償部の出力信号が入力され、周波数変換と不要輻射の除去を行って上記電力増幅器へ送出する変換・除去部とを有する
ことを特徴とする送信装置。
【発明の詳細な説明】
【０００１】
【発明の属する技術分野】
本発明は、特にいわゆるメモリ効果（Ｍｅｍｏｒｙ−ｅｆｆｃｔ）を有する電力増幅器の歪み補償に好適な歪み補償回路及びその歪み補償回路が適用される送信装置に関する。
【０００２】
【従来の技術】
近年、携帯電話システムは、既に第３世代と呼ばれるＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）、ｃｄｍａ（ｃｏｄｅ  ｄｉｖｉｓｉｏｎ  ｍｕｌｔｉｐｌｅ  ａｃｃｅｓｓ）２０００などの新しいシステムが実用化されつつある。これらの携帯電話システムでは、１チャンネル当たりの占有周波数幅が、従来のＰＤＣ（Ｐｅｒｓｏｎａｌ  Ｄｉｇｉｔａｌ  Ｃｅｌｌｕｌａｒ）或いはＰＨＳ（Ｐｅｒｓｏｎａｌ  Ｈａｎｄｙｐｈｏｎｅ  Ｓｙｓｔｅｍ：商標）に比べて格段に広くなされている。すなわち、上記１チャンネル当たりの占有周波数幅は、例えばＰＤＣが約２０ｋＨｚ、ＰＨＳが約２００ｋＨｚであるのに対し、ｃｄｍａ２０００では約１．２ＭＨｚ、Ｗ−ＣＤＭＡに至っては約４ＭＨｚとなっている。
【０００３】
ところで、上記ｃｄｍａ２０００やＷ−ＣＤＭＡの信号のように周波数幅が広い信号を増幅する場合、増幅器の帯域内特性を平坦に保つことが難しくなる。特に、電力増幅器（ＰＡ：ｐｏｗｅｒ  ａｍｐｌｉｆｉｅｒ）は、歪みに対する規定が厳しく、設計が難しくなる傾向にある。その一方で、歪み補償技術は、電力増幅器の歪みを改善し、効率を向上させるのに有効な技術であるが、帯域内偏差の大きい電力増幅器に対して効率的に歪み補償を行うことは難しく、現在までに適当な歪み補償の方法は提案されていない。
【０００４】
なお、いわゆるメモリ効果（Ｍｗｍｏｒｙ−ｅｆｆｅｃｔ）を有する電力増幅器に対してプレディストーション（Ｐｒｅｄｉｓｔｏｒｔｉｏｎ）法により歪み補償を行う技術の一例として、ＤＳＰ（Ｄｉｇｉｔａｌ  Ｓｉｇｎａｌ  Ｐｒｏｃｅｓｓｏｒ）を用いてベースバンド部でプレディストーション信号を生成する手法が開示されている（例えば、非特許文献１参照）。
【０００５】
この非特許文献１に記載の技術によれば、ベースバンドの信号系列について、あるサンプル点の信号電圧とその１サンプル前の信号電圧とが比較され、その比較結果に基づいて、プレディストーション信号生成部がプレディストーション信号を生成することについて記載されている。
【０００６】
【非特許文献１】
ジェイ．キム、ケー．コンスタンチノウ、「メモリ
（効果）を有する電力増幅器モデルに基づく広帯域信号のディジタルプレディストーション」ＩＥＥＥエレクトロニクスレター、２００１年１１月８日、第３７巻、第２３号、１４１７−１４１８ページ（Ｊ．Ｋｉｍ  ａｎｄ  Ｋ．Ｋｏｎｓｔａｎｔｉｎｏｕ  ”Ｄｉｇｉｔａｌ  ｐｒｅｄｉｓｔｏｒｔｉｏｎ  ｏｆ  ｗｉｄｅｂａｎｄ  ｓｉｇｎａｌｓ  ｂａｓｅｄ  ｏｎ  ｐｏｗｅｒ  ａｍｐｌｉｆｉｅｒ  ｍｏｄｅｌ  ｗｉｔｈ  ｍｅｍｏｒｙ”，ＩＥＥＥ  Ｅｌｅｃｔｒｏｎｉｃｓ  ｌｅｔｔｅｒｓ，  ８ｔｈ  Ｎｏｖｅｍｂｅ  ２００１，  Ｖｏｌ．３７，  Ｎｏ．２３，  ｐｐ．１４１７−１４１８）
【０００７】
【発明が解決しようとする課題】
しかしながら、上述のプレディストーション信号生成手法は、ベースバンド部でプレディストーション信号を生成するために、電力増幅器の全帯域に渡る歪み補償が困難である。また、１サンプル前の信号だけを考慮しているので、強いメモリ効果を有する電力増幅器に対しては歪み補償の効果がない。
【０００８】
本発明は、このような課題に鑑みてなされたものであり、メモリ効果を有する電力増幅器に対する有効なプレディストーションを実現可能とする、歪み補償回路及び送信装置を提供することを目的とする。
【０００９】
【課題を解決するための手段】
本発明の歪み補償回路は、ベースバンド信号が直交変調された後の信号電圧値をディジタル化するＡ／Ｄ変換手段と、そのＡ／Ｄ変換手段の出力データが供給される減算手段と、予め格納している複数の電圧値データの中から、減算手段の出力データに応じた電圧値データを出力する電圧値データ出力手段と、その電圧値データ出力手段からの電圧値データに応じて、直交変調後の信号電圧値と電力増幅器の振幅特性に応じたインパルス応答値との乗算値の累積加算値を出力して減算手段へ供給する振幅インパルス応答累積加算手段と、電圧値データ出力手段からの電圧値データをアナログ化して電力増幅器の振幅成分のプレディストーション信号として出力するＤ／Ａ変換手段とを有する。
【００１０】
また、本発明の送信装置は、送信ベースバンド信号を直交変調する直交変調部と、本発明の歪み補償回路と、その歪み補償回路の出力信号が入力され、周波数変換と不要輻射の除去を行って電力増幅器へ送出する変換・除去部とを有する。
【００１１】
すなわち、本発明によれば、ベースバンド信号が直交変調された後の信号から、電力増幅器の歪み補償を行うためのプレディストーション信号を生成している。
【００１２】
【発明の実施の形態】
本発明の好ましい実施の形態について、図面を参照しながら説明する。
【００１３】
［歪み補償の動作原理］
先ず、本発明にかかる歪み補償の動作原理を説明する。
【００１４】
電力増幅器の入力信号電圧の時間関数をｕ（ｔ）とし、その電力増幅器の出力信号電圧の時間関数をｙ（ｔ）とすると、当該電力増幅器の入出力特性はＶｏｌｔｅｒｒａ級数を用いて一般に式（１）にて表される。
【００１５】
【数１】
2004320598.tif 000003
【００１６】
ここで、式（１）中のｈｋ（τ１，…，τｋ）は、ｋ次のＶｏｌｔｅｒｒａ核であり、ｋ次の非線形インパルス応答を表す。また、式（１）のｎ重積分項（ｎは自然数）は、入力信号電圧ｕ（ｔ）のｎ次にかかわる出力を与える。つまり、例えば５重積分項からは５次高調波成分、ＩＭ（Ｉｎｔｅｒ  Ｍｏｄｕｌａｔｉｏｎ）５成分、５次項から発生する基本波成分とＩＭ３成分などが得られる。
【００１７】
次に、式（１）をフーリエ変換して式（２）を得る。すなわち、上記式（１）は、電力増幅器における時間領域での入出力特性を表し、式（２）は、電力増幅器における周波数領域での入出力特性を表している。
【００１８】
【数２】
2004320598.tif 000004
【００１９】
なお、式（２）中、Ｖｉｎ（ω）は入力信号電圧ｕ（ｔ）のフーリエ変換を、Ｖｏｕｔ（ω）は出力信号電圧ｙ（ｔ）のフーリエ変換を表している。また、式（２）において、ω１，ω２，ω３，…は電力増幅器への入力信号Ｖｉｎの持つ周波数成分を表し、Ｈｎ（ω）はＶｏｌｔｅｒｒａ核のフーリエ変換を表す。なお、一般にＨｎ（ω）は複素数である。
【００２０】
ここで、本発明にかかる歪み補償の対象である電力増幅器がメモリ効果を有すると言うことは、式（２）においてＨｎ（ω）の周波数依存性が無視できないほど大きいと言うことである。したがって、この式（２）により、いわゆるＡＭ／ＡＭ、ＡＭ／ＰＭ両特性が表現される。
【００２１】
そして、歪み補償によって電力増幅器の特性が線形化される入力信号電圧ｕ（ｔ）を印加した状態では、式（３）或いは式（４）が満たされることになる。なお、式（３），式（４）中のＧ０は電力増幅器の線形利得を表している。また、当該線形利得Ｇ０の場合の電力増幅器は、メモリ効果を有さない（いわゆるメモリレス：Ｍｅｍｏｒｙ−Ｌｅｓｓ）増幅器となる。
【００２２】
【数３】
2004320598.tif 000005
【００２３】
【数４】
2004320598.tif 000006
【００２４】
したがって、電力増幅器の歪み補償を行うためのプレディストーションは、式（３）或いは式（４）を満たす入力信号電圧ｕ（ｔ）を求めることに帰着する。
【００２５】
以下、本発明にかかる歪み補償の動作について、実例を挙げて説明する。
【００２６】
図１と図２には、メモリ効果を有する（Ｍｅｍｏｒｙ−Ｓｙｓｔｅｍである）電力増幅器の入出力特性の例を示す。図１に示す５つの曲線ｐｏ１，ｐｏ２，ｐｏ３，ｐｏ４，ｐｏ５は、図２中の各周波数ｆ１〜ｆ５に対応した入出力特性を示している。ここで、図１に示す入出力特性は電力表示なので、これを電圧表示に変換し、それら５つの入出力特性を式（５）に示す５次の多項式で近似する。
【００２７】
【数５】
2004320598.tif 000007
【００２８】
なお、式（５）中、ｉ＝１，２，３，４，５である。そして、この式（５）により得られたａｍ１（ｆｉ）、ａｍ３（ｆｉ）、ａｍ５（ｆｉ）を周波数方向に滑らかに繋げると、図２に示すような各曲線が得られる。
【００２９】
ここで、式（５）に示す入出力特性を有する電力増幅器の出力電圧の時間変化を考察すると、式（５）中のａｍ１（ｆｉ），ａｍ３（ｆｉ），ａｍ５（ｆｉ）は、フィルタ特性を表すものと考えることができる。したがって、そのフィルタの時間応答は、インパルス応答を用いた畳み込み積分で表すことができる。その様子を図３，図４に示す。なお、図３は、各サンプル点（サンプル間隔τ）毎のインパルス応答の値ｉｍｐ（ｉ）を示し、図４は、そのインパルス応答を用いた畳み込み積分の様子を示している。
【００３０】
また、図３，図４中のｉ，ｋを、信号の時間系列を離散化して考えた場合のサンプル点とすると、ある時間ｋにおける出力信号電圧ｙ（ｋ）は、式（６）に示すように、過去に現れた入力信号電圧ｕ（ｋ−１），ｕ（ｋ−２），…と、これらに対応するインパルス応答の乗算値の累積加算値となる。
【００３１】
【数６】
2004320598.tif 000008
【００３２】
なお、式（６）中のｉｍｐ（ｉ）は、式（５）におけるａｍ（ｉ）のインパルス応答を表す。また、式（６）中のｎは自然数であり、一例としてｎ＝４を挙げることができる。
【００３３】
ここで、電力増幅器がメモリ効果を有さない場合（Ｍｅｍｏｒｙ−Ｌｅｓｓ  Ｓｙｓｔｅｍである場合）は、インパルス応答の持続時間が非常に短いので、上記累積加算値は無視できるが、電力増幅器がメモリ効果を有する場合（Ｍｅｍｏｒｙ  Ｓｙｓｔｅｍである場合）は上記累積加算値が悪影響を及ぼす。特に、式（６）の３次、５次の項は、歪みを表しており、この歪みについても過去の歪みの累積が影響してくることになる。
【００３４】
以上により、電力増幅器がメモリ効果を有する場合（Ｍｅｍｏｒｙ  Ｓｙｓｔｅｍである場合）の時間的挙動が明らかになった。
【００３５】
本発明の歪み補償回路は、それらの事実を踏まえて、以下のようにして電力増幅器の歪み補償を行う。
【００３６】
電力増幅器の歪み補償を行うためのプレディストーション信号、つまり電力増幅器への入力信号電圧ｕ（ｋ）は、前記式（３）と式（６）から、式（７−１）、式（７−２）、式（７−３）を満足する。
【００３７】
【数７】
2004320598.tif 000009
【００３８】
ここで、式（７−２）は（ｋ−１）の項とそれ以外の項に分けて表しており、式（７−３）は、式（７−２）におけるシグマの項をｈｆ（ｉ）に置き換えて表している。そして、ｕ（ｋ−２），ｕ（ｋ−３），ｕ（ｋ−４），…が決まった場合に、式（７−３）のｈｆ（ｉ）が決まり、式（７−３）を満たすｕ（ｋ−１）が求まることになる。すなわち、このｕ（ｋ−１）がｉ＝１で出力すべきプレディストーション信号となる。
【００３９】
そして、本発明の歪み補償回路は、上記ｈｆ（ｉ）を求める際に、ルックアップテーブルを用いる。すなわち、図３に示した時間間隔τ毎に対応したルックアップテーブルを用意し、それらの各ルックアップテーブルには、各時間間隔τに対応するｉｍｐ（ｉ）×ｕ（ｋ−ｉ）値を格納しておく。つまり、本発明の歪み補償回路は、電力増幅器へ入力されると想定される入力信号電圧ｕ（ｔ）の全電圧範囲に対してｉｍｐ（＊）を予め乗じた値をルックアップテーブル内に格納しておき、本発明の歪み補償回路への入力値に応じて、当該ルックアップテーブルのアクセスポイントを変えることで、インパルス応答を乗じた値を得るようにしている。図５には、本発明の歪み補償回路で使用するルックアップテーブルのデータの一例を示す。
【００４０】
また、本発明の歪み補償回路は、式（７−３）を満たすｕ（ｋ−１）を求めることについても、ルックアップテーブルを用いる。
【００４１】
さらに、上述した歪み補償は振幅方向について述べているが、本発明の歪み補償回路は、位相方向の歪み補償についても同様の考えに基づいて行う。すなわち、ＡＭ／ＰＭが周波数毎に異なった特性を示す場合、式（５）におけるａｍ（＊）をＡＭ／ＰＭの周波数依存性から求めたものに置き換えることで、式（８）のように表すことができる。
【００４２】
【数８】
2004320598.tif 000010
【００４３】
なお、式（８）中、Ｐｈｏｕｔ（ｆｉ）は電力増幅器の出力信号の位相成分を表し、ｐｍ（＊）は式（５）におけるａｍ（＊）と同様の係数で、ＡＭ／ＰＭの周波数特性から求めたものである。そして、式（８）中のｐｍ（＊）のインパルス応答を用いることで、Ｐｈｏｕｔ（ｆｉ）の時間的な変化を表すＰｈｏ（ｔ）を求めることができる。位相方向の歪み補償は、こうして得られたＰｈｏ（ｔ）に対し、ＰｈＰＤ（ｔ）＝−Ｐｈｏ（ｔ）となるようにして電力増幅器への入力信号の位相をシフトさせることで実現できる。
【００４４】
［歪み補償回路の適用例］
図６には、上述した本発明の歪み補償回路が適用される携帯電話端末の送信部（送信装置）の概略構成を示す。
【００４５】
図６に示す本実施の形態の携帯電話端末の送信部において、ベースバンド部１からは、同相成分の信号ＢＩと直交成分の信号ＢＱが出力され、直交変調部２へ供給される。上記同相成分の信号ＢＩは直交変調部２の一方のミキサ１１へ、上記直交成分の信号ＢＱは直交変調部２の他方のミキサ１２へ送られる。また、上記一方のミキサ１１には発振器１４からの発振信号が入力され、他方のミキサ１２には発振器１４の発振信号を移相器１５により９０度（π／２）移相した信号が入力される。これにより、上記一方のミキサ１１では、上記同相成分の信号ＢＩが上記発振信号により周波数変換され、他方のミキサ１２では、上記直交成分の信号ＢＱが上記９０度移相された発振信号により周波数変換される。そして、これら二つのミキサ１１，１２の出力信号は、加算器１３にて相互に加算された後、歪み補償部３への入力信号ＰＤｉｎとして、当該直交変調部２から出力される。
【００４６】
歪み補償部３は、上記入力信号ＰＤｉｎに応じて、前述したルックアップテーブルのアクセスポイントを変えることで、最終段の電力増幅器９の振幅方向の歪みを補償するためのプレディストーション信号ＰＤｏｕｔと位相方向の歪みを補償するためのプレディストーション信号ＰｈＰＤを生成する。上記振幅方向のプレディストーション信号ＰＤｏｕｔは帯域通過フィルタ（バンドパスフィルタ）４へ送出され、上記位相方向のプレディストーション信号ＰｈＰＤは移相部８へ送出される。
【００４７】
帯域通過フィルタ４は、上記振幅方向のプレディストーション信号ＰＤｏｕｔに含まれる不要輻射を除去する。この帯域通過フィルタ４の出力信号は、ミキサ５へ送られる。また、ミキサ５には、高周波発振器６からの発振信号が入力されている。これにより、当該ミキサ５では、上記帯域通過フィルタ４の出力信号が、上記高周波発振器６からの発振信号により周波数変換される。このミキサ５から出力された高周波信号は、帯域通過フィルタ（バンドパスフィルタ）７へ送られる。当該帯域通過フィルタ７は、上記ミキサ５から出力された高周波信号に含まれる不要輻射を除去する。この帯域通過フィルタ７の出力信号は、移相部８へ送られる。
【００４８】
移相部８は、上記歪み補償部３からの位相方向のプレディストーション信号ＰｈＰＤが移相シフト制御信号として入力され、当該移相シフト制御信号に基づいて、上記帯域通過フィルタ７からの出力信号を移相させる。すなわち、このとき移相部８から出力される信号は、電力増幅器９の振幅方向と位相方向の両方の歪みを補償するためのプレディストーション信号ＰＡｉｎとなる。これにより、電力増幅器９の出力信号ＰＡｏｕｔは、歪み補償が施された信号となる。当該電力増幅器９の出力信号ＰＡｏｕｔは、端子１０から図示しない後段の構成へ送出される。
【００４９】
ここで、本実施の形態の携帯電話端末は、上述したように、入力信号ＰＤｉｎに応じてルックアップテーブルをアクセスすることで、振幅方向のプレディストーション信号ＰＤｏｕｔと位相方向のプレディストーション信号ＰｈＰＤを得る、というようなディジタル処理を行うため、特に以下のことを考慮した構成となされている。
【００５０】
すなわち図６の直交変調部２の発振器１４の発振周波数は、ベースバンド部１からの信号ＢＩ，ＢＱの包絡線周波数の２倍程度の低い周波数を用いている。この理由は以下の通りである。一般にミキサ等により周波数変換操作を行うとイメージ成分が現れるので、その占有周波数帯域幅は元の信号（本実施の形態では直交変調部２の出力）の２倍となる。この場合、電力増幅器において考慮すべきメモリ効果は、上記包絡線周波数の２倍以上の周波数帯域に発生してしまう。したがって、歪み補償もその周波数帯域を考慮したものにしなければならないが、本実施の形態の歪み補償は、上述したように入力信号ＰＤｉｎに応じてルックアップテーブルをアクセスする、というようなディジタル処理を伴うため、そのような高い周波数での処理は困難である。そこで、本実施の形態では、上記発振器１４の発振周波数を、上記信号ＢＩ，ＢＱの包絡線周波数の２倍程度の低い周波数にすることで、上記歪み補償の際の上記ディジタル処理を容易にしている。
【００５１】
また、本実施の形態の歪み補償では、そのようにして変調された信号に対し、インパルス応答を用いてプレディストーション信号を生成するが、このときルックアップテーブルに格納するインパルス応答の値としては、前述した図２におけるａｍ１（ｆ），ａｍ３（ｆ），ａｍ５（ｆ）を、図７に示すように低い周波数近傍に平行移動したａｍ１’（ｆ），ａｍ３’（ｆ），ａｍ５’（ｆ）についてのインパルス応答の値とする。なお、図７は、本発明実施の形態の歪み補償の効果を確かめるために行ったシミュレーションの様子を示す図であり、発振器１４の発振周波数が、上記ベースバンド部１からの信号ＢＩ，ＢＱの包絡線周波数（＝１．２２８８ＭＨｚ／２）の約２倍（１．３ＭＨｚ）に設定された例である。すなわち、ＲＦ周波数が１．３ＭＨｚ×６＝７．８ＭＨｚであるとすると、図６の電力増幅器９のメモリ効果は７．８ＭＨｚ近傍のａｍ１（ｆ），ａｍ３（ｆ），ａｍ５（ｆ）で表されるが、本実施の形態の歪み補償部３では、それらａｍ１（ｆ），ａｍ３（ｆ），ａｍ５（ｆ）の周波数が１．３ＭＨｚ近傍に平行移動されたａｍ１’（ｆ），ａｍ３’（ｆ），ａｍ５’（ｆ）を用いて、上記ルックアップテーブルのアクセスを行う。
【００５２】
［歪み補償部の構成］
以下、上述したように入力信号ＰＤｉｎに応じてルックアップテーブルをアクセスしてプレディストーションを生成する、本実施の形態の歪み補償部３の構成について説明する。図８は、本実施の形態の歪み補償部３の具体的構成例を示す。
【００５３】
この図８に示す本実施の形態の歪み補償部３は、図６の直交変調部２からの入力信号ＰＤｉｎをディジタル化するＡ／Ｄ（Ａｎａｌｏｇ／Ｄｉｇｉｔａｌ）コンバータ３２と、そのＡ／Ｄコンバータ３２の出力を定数Ｇ０倍する乗算器３３と、その乗算器３３の出力が入力される減算器４１と、上記減算器４１の出力データの少なくとも一部がテーブルアクセス用のアドレスデータとして入力されるルックアップテーブル（電力値データ出力手段）４２と、上記ルックアップテーブル４２の出力を時間τずつ順次遅延させるためのＮ−１（Ｎは自然数、本実施の形態では例えばＮ＝３〜４）個の遅延器４５＿１，４５＿２，…からなる遅延ブロックと、上記ルックアップテーブル４２の出力データ若しくは各遅延器４５＿１，４５＿２，…にて時間τずつ順次遅延された出力データが入力されるＮ個のテーブルブロック４６＿１，４６＿２，…と、これらテーブルブロック４６＿１，４６＿２，…の出力データを加算して減算器４１へ出力する加算器４４と、上記ルックアップテーブル４２の出力データをアナログ化するＤ／Ａ（Ｄｉｇｉｔａｌ／Ａｎａｌｏｇ）コンバータ４３とを備え、上記Ｄ／Ａコンバータ４３の出力信号を前記振幅方向のプレディストーション信号ＰＤｏｕｔとして端子３６から出力する振幅補償部３４を有している。
【００５４】
この振幅補償部３４の各テーブルブロック４６＿１，４６＿２，…のうち、１段目のテーブルブロック４６＿１は、上記ルックアップテーブル４２の出力データの少なくとも一部が、テーブルアクセス用のアドレスデータとして入力され、それぞれ予め格納されたデータを当該アドレスデータに応じて出力するメモリ素子からなるＭ（Ｍは自然数、本実施の形態では例えばＭ＝４）個のルックアップテーブル６１＿１，６１＿２，６１＿３，…と、それら各ルックアップテーブル６１＿１，６１＿２，６１＿３，…の出力値を加算する加算器４７とを有する。そして、当該加算器４７の出力データが、上記加算器４４へ送られる。２段目のテーブルブロック４６＿２は、上記１段目のテーブルブロック４６＿１と同じ構成を有しているが、当該テーブルブロック４６＿２には、上記遅延器４５＿１により時間τだけ遅延されたルックアップテーブル４２の出力データが、テーブルアクセス用のアドレスデータとして入力される。なお、２段目のテーブルブロック４６＿２以降の各段のテーブルブロックについても同様であり、遅延器４５＿２，…により順次時間τだけ遅延されたルックアップテーブル４２の出力データが、それぞれテーブルアクセス用のアドレスデータとして入力される。すなわちこれらは、本発明の振幅インパルス応答累積加算手段に相当する。
【００５５】
ここで、上記振幅補償部３４の各テーブルブロック４６＿１，４６＿２，…内のルックアップテーブル６１＿１，６１＿２，６１＿３，…には、前述したａｍ１’（ｆ），ａｍ３’（ｆ），ａｍ５’（ｆ）から求めたインパルス応答を乗じた値が格納されている。例えば、１段目のルックアップテーブル６１＿１にはｕ（ｋ−２）・ｉｍｐ’１（２）の値が格納され、２段目のルックアップテーブル６１＿２にはｕ（ｋ−２）３・ｉｍｐ’３（２）、３段目のルックアップテーブル６１＿３にはｕ（ｋ−２）５・ｉｍｐ’５（２）の値が格納されている。
【００５６】
また、上記ルックアップテーブル４２には、式（９）を満足する解のｕ（ｋ−１）の値が格納されている。
【００５７】
【数９】
2004320598.tif 000011
【００５８】
なお、式（９）中のｉｍｐ’１（ｉ），ｉｍｐ’３（ｉ），ｉｍｐ’５（ｉ）  は、各々ａｍ１’（ｆ），ａｍ３’（ｆ），ａｍ５’（ｆ）から求めたインパルス応答を示す。また、定数Ｇ０は、歪み補償の対象である電力増幅器９の特性を線形化した場合の線形利得であり、上記乗算器３３での乗算に使用される値である。このように、本実施の形態の歪み補償部３は、各テーブルブロック４８＿１，４８＿２，…内のルックアップテーブル６１＿１，６１＿２，６１＿３，…へのアドレスデータとして、上記ルックアップテーブル４２の出力を用いるのは、実際の電力増幅器９に入力されるのはプレディストーションされた信号なので、当該ルックアップテーブル４２の出力値を入力系列として考える必要があるからである。
【００５９】
本実施の形態の歪み補償部３によれば、以上説明したような構成を有し、上記端子３１に供給された入力信号ＰＤｉｎをＡ／Ｄ変換し、更にＧ０倍してルックアップテーブル４２をアクセスし、そのルックアップテーブル４２の出力の少なくとも一部をアドレスデータとして、テーブルブロック４８＿１，４８＿２，…内のルックアップテーブル６１＿１，６１＿２，６１＿３，…をアクセスすることにより、前述した式（７−３）におけるｕ（ｋ−２）・ｉｍｐ１（２）等を得ることができる。そして、それら各ルックアップテーブル６１＿１，６１＿２，６１＿３，…の出力を加算器４７にて加算することで、前記式（７−３）におけるｈｆ（ｉ）が得られる。さらに、その加算器４７の出力データを減算器４１にて、乗算器３３の出力データ（入力信号ＰＤｉｎ・Ｇ０）から減算し、ルックアップテーブル４２をアクセスするための信号系列を得、そのルックアップテーブル４２の出力をＤ／Ａ変換することで、振幅方向のプレディストーションＰＤｏｕｔを得ている。
【００６０】
また、この図８に示す本実施の形態の歪み補償部３は、上記ルックアップテーブル４２の出力データ若しくは各遅延器４５＿１，４５＿２，…にて時間τずつ順次遅延された出力データが入力されるＮ個のテーブルブロック４８＿１，４８＿２，…と、これらテーブルブロック４８＿１，４８＿２，…の出力データを加算する加算器５０と、その加算器５０の出力データをアナログ化するＤ／Ａコンバータ５１とを備え、当該Ｄ／Ａコンバータ５１の出力信号を前記位相方向のプレディストーション信号ＰｈＰＤとして端子３７から出力する位相補償部３５を有している。
【００６１】
この位相補償部３５の各テーブルブロック４８＿１，４８＿２，…のうち、１段目のテーブルブロック４８＿１は、上記ルックアップテーブル４２の出力データの少なくとも一部が、テーブルアクセス用のアドレスデータとして入力され、それぞれ予め格納されたデータを当該アドレスデータに応じて出力するメモリ素子からなるＭ個のルックアップテーブル７１＿１，７１＿２，７１＿３，…と、それら各ルックアップテーブル７１＿１，７１＿２，７１＿３，…の出力値を加算する加算器４９とを有する。そして、当該加算器４９の出力データが、上記加算器５０へ送られる。２段目の各テーブルブロック４８＿２は、上記１段目のテーブルブロック４８＿１と同じ構成を有しているが、当該テーブルブロック４８＿２には、上記遅延器４５＿１により時間τだけ遅延されたルックアップテーブル４２の出力データが、テーブルアクセス用のアドレスデータとして入力される。なお、２段目のテーブルブロック４８＿２以降の各段のテーブルブロックについても同様であり、遅延器４５＿２，…により順次時間τだけ遅延されたルックアップテーブル４２の出力データが、それぞれテーブルアクセス用のアドレスデータとして入力される。すなわちこれらは、本発明の位相インパルス応答累積加算手段に相当する。
【００６２】
当該位相補償部３５において、各テーブルブロック４８＿１，４８＿２，…内のルックアップテーブル７１＿１，７１＿２，７１＿３，…には、前述の式（８）に示した係数ｐｍ（＊）のインパルス応答の符号を変えた値が格納されている。したがって、これら各ルックアップテーブル７１＿１，７１＿２，７１＿３，…の出力を加算器４９にて加算し、Ｄ／Ａコンバータ５１にてアナログ変換したものを位相方向のプレディストーションＰｈＰＤとして、図６の移相部８の位相シフトを制御させれば、位相補償が達成されることになる。
【００６３】
なお、この図８の歪み補償部３において、各遅延器４５＿１，４５＿２，…の遅延時間τは、前述した図３における離散化の間隔を示す。当該遅延時間τは小さい方が良いが、使用するＡ／Ｄコンバータ３２やＤ／Ａコンバータ４３，５１の処理速度によりその下限が決まる。
【００６４】
［歪み補償のシミュレーション］
次に、本発明実施の形態における歪み補償の効果についてシミュレーションで検討した結果を説明する。シミュレーションの条件は、前述の図７で既に説明したのと同じ条件とする。なお、遅延時間τは１６倍オーバーサンプルの条件で、（１／１９．２ＭＨｚ＝１．２２８８Ｍｃｐｓ×１６）とした。
【００６５】
図９は、図１，図２で説明した電力増幅器９の特性下における出力信号ＰＡｏｕｔのスペクトラムをシミュレーションにより求めた例である。使用した信号はＮ−ＣＤＭＡ（Ｎａｒｒｏｗｂａｎｄ−Ｃｏｄｅ  Ｄｉｖｉｓｉｏｎ  Ｍｕｌｔｉｐｌｅ  Ａｃｃｅｓｓ）のアップリンクに使用する信号で、チップレート１．２２８８Ｍｃｐｓ、データ変調はＯＱＰＳＫ（Ｏｆｆｓｅｔ  Ｑｕａｄｒａｔｕｒｅ  Ｐｈａｓｅ  Ｓｈｉｆｔ  Ｋｅｙｉｎｇ）である。電力増幅器９の出力信号ＰＡｏｕｔは２１．５ｄＢｍである。図９のスペクトラムは、図示の如く信号成分と歪み成分とからなる。信号成分は帯域内（＝ｄｅｖ）で約２ｄＢの偏差が見られる。これは、メモリ効果の特徴の一つであり、前述のａｍ１（ｆ）に起因するものである。また、歪みを表すＡＣＰ（＝±８８５ｋＨｚ  離調点）は、信号成分に対する上下間（ｄｌｔ＿ａｃｐｒ＝ＡＣＰ＿ｈｉｇｈ−ＡＣＰ＿ｌｏｗ）で約４ｄＢの差が見られる。すなわち、上下非対称な歪みスペクトラムが生成されている様子がわかる。これは、同様に前述のａｍ３（ｆ），ａｍ５（ｆ）に起因している。このように、メモリ効果の顕著な電力増幅器９の場合、出力スペクトラムは非対称を表すのが特徴である。
【００６６】
図１０、図１１には、２通りの方法で歪み補償を行った場合のスペクトラム変化の様子を示す。図１０は、図１，図２におけるｆ＝ｆ３のＡＭ／ＡＭと線形化する信号、すなわちメモリ効果を考慮せずに曲線ｐｏ３の特性のみを想定して得たプレディストーション信号を用いた場合の効果を示している。なお、電力増幅器９の出力信号電力はＰＡｏｕｔ＝２１．５ｄＢｍ時のスペクトラムである。以下、このプレディストーションを１ｐｏｉｎｔＰＤと記す。同様に、図１１は、式（７−３）を用いた、本発明におけるプレディストーションを施した場合の例で、電力増幅器９の出力信号電力は、同じくＰＡｏｕｔ＝２１．５ｄＢｍである。ここで、前記式（７−３）におけるｈｆ（ｉ）を求めるに際し、用いた過去の累積回数は５である。以下、この本発明のプレディストーションを５ｓｔｅｐＰＤと記す。また、図９の例は、歪み補償なしと言う意味で、以下、ｗ／ｏＰＤと記す。図１０の１ｐｏｉｎｔＰＤの場合は、一見歪み補償が効いているように見えるが、帯域内偏差ｄｅｖ、非対称ＡＣＰ共に解消されておらず、さらに、離調周波数の大きい範囲での歪み改善が見られない。これに対し、本発明のプレディストーションである図１１の５ｓｔｅｐＰＤの場合は、帯域内偏差ｄｅｖ、非対称ＡＣＰは解消され、離調周波数の大きい範囲での歪みも十分改善されている。
【００６７】
次に、図１２，図１３には、図９〜図１１で示した３通りの場合につき、ＡＣＰ＿ｌｏｗ（図１２）、ＡＣＰ＿ｈｉｇｈ（図１３）の出力電力依存性を示す。これら図１２、図１３において、電力増幅器の出力信号電力が低い範囲では、１ｐｏｉｎｔＰＤ、５ｓｔｅｐＰＤともに大きな差異は認められないが、ＰＡｏｕｔが２０ｄＢｍより大きい範囲では、本発明のプレディストーションである５ｓｔｅｐＰＤが５ｄＢ以上のＡＣＰ改善を示している。また、電力増幅器の出力信号電力が大きい範囲では、クリッピングによる歪みが見られるようになり、もはや歪み補償は効果がない。
【００６８】
次に、図１４，図１５には、帯域内偏差ｄｅｖ及びＡＣＰの非対称性についての特性を示す。図１４は、帯域内偏差ｄｅｖの出力電力依存性を示している。上記１ｐｏｉｎｔＰＤ、ｗ／ｏＰＤともに、帯域内偏差はある程度残留しており、改善は見られない。一方、本発明のプレディストーションである５ｓｔｅｐＰＤの場合は、２２ｄＢｍ程度までは１ｄＢ以内に抑えられており、効果が見られる。なお、２３ｄＢｍ以上では、帯域内偏差ｄｅｖのバラツキが大きくなっているが、これはクリッピングに起因するものである。図１５は、ＡＣＰの非対称性の出力電力依存性を表している。ＡＣＰの非対称性ｄｌｔ＿ａｃｐｒは、ｄｌｔ＿ａｃｐｒ＝ＡＣＰ＿ｈｉｇｈ−ＡＣＰ＿ｌｏｗと定義する。図１５は、１ｐｏｉｎｔＰＤのＡＣＰの非対称性ｄｌｔ＿ａｃｐｒがｗ／ｏＰＤとほぼ同じ値を示しており、全く改善の効果はないが、本発明のプレディストーションである５ｓｔｅｐＰＤの場合は０．５ｄＢ以内に収まっており、極めて高い改善の効果が見られる。
【００６９】
以上説明したように、本発明の歪み補償回路は、ベースバンド信号を低周波信号に一旦変調した後、過去の信号系列を複数サンプル点に渡って累積し、電力増幅器のインパルス応答を乗じたものを歪み補償に供するようにしているため、高いメモリ効果を有する電力増幅器に対しても全帯域に渡り正確に歪み補償ができるという点でその効果は絶大である。
【００７０】
なお、上述した実施の形態の説明は、本発明の一例である。このため、本発明は上述した実施の形態に限定されることなく、本発明に係る技術的思想を逸脱しない範囲であれば、設計等に応じて種々の変更が可能であることはもちろんである。
【００７１】
【発明の効果】
本発明においては、ベースバンド信号が直交変調された後の信号から、電力増幅器の歪み補償を行うためのプレディストーション信号を生成することで、メモリ効果を有する電力増幅器の全周波数帯域に渡る歪み補償が可能になっている。
【図面の簡単な説明】
【図１】メモリ効果を有する電力増幅器の入出力特性を示す図である。
【図２】メモリ効果を有する電力増幅器の周波数毎に異なるＡＭ／ＡＭ特性を示す図である。
【図３】インパルス応答の例を示す図である。
【図４】図３のそのインパルス応答を用いた畳み込み積分の様子を示す図である。
【図５】本発明の歪み補償回路で使用するルックアップテーブルのデータの一例を示す図である。
【図６】本発明の歪み補償回路が適用される携帯電話端末の送信部の概略構成を示す図である。
【図７】電力増幅器のメモリ効果と本発明実施の形態の歪み補償の周波数関係を示す図である。
【図８】本実施の形態の歪み補償部の具体的構成例を示す図である。
【図９】歪み補償を行っていない場合の電力増幅器の出力信号の周波数成分を示す図である。
【図１０】メモリ効果を考慮せずに図１の曲線ｐｏ３の特性のみを想定して得たプレディストーション信号が入力された電力増幅器の出力信号の周波数成分を示す図である。
【図１１】本発明の歪み補償を行った時の電力増幅器の出力信号の周波数成分を示す図である。
【図１２】図９〜図１１で示した３通りの場合につき、ＡＣＰ＿ｌｏｗの出力電力依存性を示す図である。
【図１３】図９〜図１１で示した３通りの場合につき、ＡＣＰ＿ｈｉｇｈの出力電力依存性を示す図である。
【図１４】帯域内偏差の出力電力依存性を示す図である。
【図１５】ＡＣＰの非対称性の出力電力依存性を表す図である。
【符号の説明】
１…ベースバンド部、２…直交変調部、３…歪み補償部、４，７…帯域通過フィルタ、５，１１，１２…ミキサ、６…高周波発振器、８…移相部、９…電力増幅器、１３，４４，４７，４９，５０…加算器、１４…発振器、１５…移相器、３２…Ａ／Ｄコンバータ、３３…乗算器、３４…振幅補償部、３５…位相補償部、４１…減算器、４２，６１＿１，６１＿２，６１＿３，７１＿１，７１＿２，７１＿３…ルックアップテーブル、４３，５１…Ｄ／Ａコンバータ、４６＿１，４６＿２，４８＿１，４８＿２…テーブルブロック
【図１】
2004320598.tif 000012
【図２】
2004320598.tif 000013
【図３】
2004320598.tif 000014
【図４】
2004320598.tif 000015
【図５】
2004320598.tif 000016
【図６】
2004320598.tif 000017
【図７】
2004320598.tif 000018
【図８】
2004320598.tif 000019
【図９】
2004320598.tif 000020
【図１０】
2004320598.tif 000021
【図１１】
2004320598.tif 000022
【図１２】
2004320598.tif 000023
【図１３】
2004320598.tif 000024
【図１４】
2004320598.tif 000025
【図１５】
2004320598.tif 000026